(57)【特許請求の範囲】
【請求項１】
隙間をあけて隣接する第一建築部と第二建築部にわたって形成された状態で、前記両建築部の相対的な移動に追従して通路を確保可能な通路本体を設け、前記通路本体を構成するに、通路周部を形成する床板材、壁板材、張出板状部材、及び、天井板材を設け、前記床板材を前記第二建築部に上下揺動自在に取り付け、前記壁板材を前記第一建築部に通路内側へ揺動自在に取り付けて、前記両建築部の相対近接移動に伴って、前記床板材及び壁板材を通路内側へ揺動すべく誘導する誘導部を設け、
前記床板材は、前記隙間を覆う状態で第二建築部に取り付けられ、前記壁板材は、前記床板材に対して通路の通行方向に位置ずれさせて前記第一建築部に取り付けられて、前記床板材と壁板材の揺動軌跡が重ならない状態に構成され、前記張出板状部材は、第二建築部から前記隙間を跨いで第一建築部へ張り出し状態に設けられている伸縮通路を備えた建築物。
【請求項２】
前記第一建築部と第二建築部との相対移動時に、前記第二建築部に取り付けられた床板材の側部を受け入れ自在な懐部を前記第一建築部に設けてある請求項１に記載の伸縮通路を備えた建築物。
【発明の詳細な説明】
【０００１】
【発明の属する技術分野】
本発明は、隙間をあけて隣接する一対の建築部に、例えば、地震や風圧等の外部力の作用で相対的な揺れが生じても、前記両建築部にわたって形成された通路本体が、前記相対的な揺れに追従しやすいように形成してある伸縮通路を備えた建築物に関し、さらに詳しくは、隙間をあけて隣接する第一建築部と第二建築部にわたって形成された状態で、前記両建築部の相対的な移動に追従して通路を確保可能な通路本体を設け、前記通路本体を構成するに、通路周部を形成する床板材、壁板材、張出板状部材、及び、天井板材を設け、前記床板材を前記第二建築部に上下揺動自在に取り付け、前記壁板材を前記第一建築部に通路内側へ揺動自在に取り付けて、前記両建築部の相対近接移動に伴って、前記床板材及び壁板材を通路内側へ揺動すべく誘導する誘導部を設けてある伸縮通路を備えた建築物に関する。
【０００２】
【従来の技術】
従来、この種の伸縮通路を備えた建築物としては、前記一対の建築部の相対的な近接離間方向の移動を吸収できるように、図９・１０に示すように、通路本体３の継手床２０Ａ、継手側壁２０Ｂ、継手天井２０Ｃをそれぞれ形成する四つの周部形成板状部材２０を一方の建築部（第二建築部）Ｂ２にのみ揺動自在に取り付け、他方の建築部（第一建築部）Ｂ１にスライド自在に支持させてあるものがあった。
そして、前記周部形成板状部材２０と、第一建築部Ｂ１との納まりは、図９に示すように、継手の内周面が面一になるように、周部形成板状部材２０を受ける建築部部分を、座繰り部９に形成すると共に、周部形成板状部材２０の先端部と、前記座繰り部９との接当面を、例えば、上述の地震や大風によって互いが近接すると、周部形成板状部材２０を、通路本体３の通路内側へ揺動させるような傾斜面（前記誘導部に相当）９ａに形成してあった。
【０００３】
【発明が解決しようとする課題】
上述した従来の伸縮通路を備えた建築物によれば、図１０に示すように、一対の建築部どうしが、相対的に近接するように揺れた場合、各周部形成板状部材は、前記傾斜面に沿って誘導され、通路本体の通路内側に向けてそれぞれ揺動するため、例えば、通路本体の周方向で隣接する周部形成板状部材どうしの先端部は、通路断面の隅部分で互いに干渉しあい、破壊したり、変形したままになる危険性がある。そして、破壊した周部形成板状部材が脱落して、建築部間の隙間が露出したり、変形したままになった周部形成板状部材が前記通路の内周側へせり出して障害となったりし易い問題点がある。
【０００４】
従って、本発明の目的は、上記問題点を解消し、前記一対の建築部が相対的に近接離間方向に移動しても、大きな障害を発生し難い伸縮通路を備えた建築物を提供するところにある。
【０００５】
【課題を解決するための手段】
〔構成〕
請求項１の発明の特徴構成は、図１・６に例示するごとく、隙間１をあけて隣接する第一建築部Ｂ１と第二建築部Ｂ２にわたって形成された状態で、前記両建築部Ｂ１，Ｂ２の相対的な移動に追従して通路を確保可能な通路本体３を設け、前記通路本体３を構成するに、通路周部を形成する床板材４Ａ、壁板材４Ｂ、張出板状部材１３、及び、天井板材４Ｃを設け、前記床板材４Ａを前記第二建築部Ｂ２に上下揺動自在に取り付け、前記壁板材４Ｂを前記第一建築部Ｂ１に通路内側へ揺動自在に取り付けて、前記両建築部Ｂ１，Ｂ２の相対近接移動に伴って、前記床板材４Ａ及び壁板材４Ｂを通路内側へ揺動すべく誘導する誘導部を設け、前記床板材４Ａは、前記隙間１を覆う状態で第二建築部Ｂ２に取り付けられ、前記壁板材４Ｂは、前記床板材４Ａに対して通路の通行方向に位置ずれさせて前記第一建築部Ｂ１に取り付けられて、前記床板材４Ａと壁板材４Ｂの揺動軌跡が重ならない状態に構成され、前記張出板状部材１３は、第二建築部Ｂ２から前記隙間１を跨いで第一建築部Ｂ１へ張り出し状態に設けられているところにある。
【０００９】
請求項２の発明の特徴構成は、図５・８に例示するごとく、前記第一建築部Ｂ１と第二建築部Ｂ２との相対移動時に、前記第二建築部Ｂ２に取り付けられた床板材４Ａの側部を受け入れ自在な懐部１６を前記第一建築部Ｂ１に設けてあるところにある。
【００１０】
尚、上述のように、図面との対照を便利にするために符号を記したが、該記入により本発明は添付図面の構成に限定されるものではない。
【００１１】
〔作用及び効果〕
請求項１の発明の特徴構成によれば、通路周部を形成する床板材は、第二建築部に取り付けられ、壁板材は、床板材に対して通路の通行方向に位置ずれさせて第一建築部に取り付けられて、床板材と壁板材の揺動軌跡が重ならない状態に構成されているから、床板材と壁板材どうしが、例えば、地震や風圧等による建築部の揺れで、通路内側へ揺動したとしても、床板材と壁板材どうしが干渉することを防止でき、従来のように、床板材と壁板材どうしが突き当たって破壊したり、変形したままになることを防ぐことが可能となる。
その結果、前記一対の建築部が相対的に近接離間方向に移動しても、相互の動きを吸収できながら、且つ、大きな継手障害を生じることを防止し易くなり、より機能的に優れた伸縮通路を備えた建築物とすることができる。
【００１５】
請求項２の発明の特徴構成によれば、請求項１の発明による作用効果を叶えることができるのに加えて、前記第一建築部と第二建築部との相対移動時に、第二建築部に取り付けられた床板材の側部を受け入れ自在な懐部を第一建築部に設けてあるから、両建築部の揺れ方向が、近接離間方向のみならず、第二建築部に取り付けられた床板材の側部が第一建築部に近接する方向である場合であっても、床板材が破壊したり、変形したままになるのを、前記懐部によって防止し易くなる。
その結果、両建築部の複雑な揺れ（例えば、縦方向や、横方向や、斜め方向等の揺れ、又は、それらが組み合わさった揺れ）に対して、継手障害を生じ難い状態で対応でき、より揺れに強い伸縮通路を備えた建築物とすることが可能となる。
【００１６】
【発明の実施の形態】
以下に本発明の実施の形態を図面に基づいて説明する。尚、図面において従来例と同一の符号で表示した部分は、同一又は相当の部分を示している。
【００１７】
本発明の伸縮継手の一例である伸縮通路を備えた建築物Ｂを、図１に示す。
【００１８】
前記建築物Ｂは、隙間１をあけて隣接する別棟の第一建築部Ｂ１・第二建築部Ｂ２と、これら両建築部Ｂ１・Ｂ２にわたって形成された連絡通路形成用のエキスパンションジョイント（伸縮通路に相当）２とを備えて構成してある。
【００１９】
前記エキスパンションジョイント２は、両建築部Ｂ１・Ｂ２の各屋内通路部５・６どうしを連絡するもので、前記両建築部Ｂ１・Ｂ２の相対的な移動に追従して通路を確保可能な通路本体（継手本体に相当）３によって構成してある。
前記通路本体３は、通路周部を形成する床板材４Ａ・壁板材４Ｂ・天井板材４Ｃ（何れも、周部形成板状部材４に相当）を、前記一対の建築部Ｂ１・Ｂ２の内の何れか一方に、前記通路本体３の径方向に沿った揺動を可能とする状態に取り付けて構成してある。
【００２０】
因みに、各建築部Ｂ１・Ｂ２への各板材４Ａ・４Ｂ・４Ｃの固定、及び、揺動方向は、図２・３・４に示すとおりである。
前記床板材４Ａは、図２に示すように、前記第二建築部Ｂ２の屋内通路部である第二屋内通路部６のスラブ部６ａに、ヒンジ部７を介して上下揺動自在に取り付けてある。
前記天井板材４Ｃは、図４に示すように、前記第二建築部Ｂ２の前記第二屋内通路部６の天井部６ｃに、ヒンジ部７を介して上方へ揺動自在に取り付けてある。
また、左右一対の壁板材４Ｂは、図３に示すように、前記第一建築部Ｂ１の屋内通路部である第一屋内通路部５の側壁部５ｂに、オートヒンジ部８を介して通路内側へ揺動自在に取り付けてある。尚、前記オートヒンジ部８は、前記壁板材４Ｂを、通路外側方向へ向けて揺動付勢するように構成してある。
【００２１】
上述の各板材４Ａ・４Ｂ・４Ｃのおさまりについて、さらに詳しく説明する。
【００２２】
まず、前記床板材４Ａは、上述のように、基端部を前記ヒンジ部７を介して第二屋内通路部６のスラブ部６ａに取り付けられ、先端側部分は、前記第一屋内通路部５のスラブ部５ａに形成した座繰り部９上に載置状態に配置される。そして、床板材４Ａの揺動先端の端縁部は、図に示すように、下向きの傾斜面に形成してあると共に、それに対応する前記座繰り部９の部分には、上向きの傾斜面９ａが形成してある。従って、両建築部Ｂ１・Ｂ２が相対的に揺れていない状態においては、床板材４Ａの先端側部分は、前記座繰り部９に納まり、床板材４Ａの上面と、両スラブ部５ａ・６ａの上面が面一の状態となっている。
また、両建築部Ｂ１・Ｂ２が相対的に揺れて、両者が近接すると、図６（ハ）に示すように、前記床板材４Ａは、前記座繰り部９の傾斜面９ａに誘導され、先端部が前記座繰り部９上に乗り上げる状態に揺動し、両者間に突っ張り力が作用するのを防止しながら、相互の揺れに対応することができる。
一方、両建築部Ｂ１・Ｂ２が相対的に揺れて、両者が離間すると、前記床板材４Ａは、図７（ハ）に示すように、前記座繰り部９の水平面９ｂ上をスライドし、両者間に引っ張り力が作用するのを防止しながら、相互の揺れに対応することができる。但し、両建築部Ｂ１・Ｂ２の離間の度合いが大きい場合は、スラブ部５ａから、床板材４Ａが、外れることが考えられるが、その際に、床板材４Ａが、下方へ揺動しないように、第二屋内通路部６のスラブ部６ａのヒンジ部７下方に、下方揺動防止用のアングル材１０を設けてある。
また、両建築部Ｂ１・Ｂ２の相対的な揺れが、上下の場合には、前記床板材４Ａの上下揺動によって、通路の維持を図ることができる。
更には、両建築部Ｂ１・Ｂ２の相対的な揺れが、上下・左右・斜め等、複雑なものであっても、同様に対応することが可能である。
【００２３】
前記壁板材４Ｂは、図３に示すように、基端部を前記オートヒンジ部８を介して、第一屋内通路部５の側壁部５ｂに形成した座繰り部１１内に収まるように取り付けてある。そして、壁板材４Ｂの揺動先端の端縁部は、図に示すように、通路側方外側向きの傾斜面に形成してある。一方、前記第二屋内通路部６の側壁部６ｂと壁板材４Ｂとの間には、前記隙間１を覆う状態に、張出板状部材１３を設けてある。
この張出板状部材１３は、基端部をオートヒンジ部１２を介して第二屋内通路部６の側壁部６ｂに、左右方向に揺動自在に取り付けてある。因みに、前記壁板材４Ｂのオートヒンジ部８も、このオートヒンジ部１２も、通路外側方向へ向けて揺動付勢するように構成してあり、両建築部どうしが相対的に揺れ移動した場合に、第一屋内通路部６の側壁部６ｂとの間に、隙間ができるのを防止し、追従性の向上を図ってある。
そして、揺動先端の端縁部は、図に示すように、通路内側向きの傾斜面（誘導傾斜面部に相当）１３ａとして形成してある。また、両建築部Ｂ１・Ｂ２が相対的に揺れていていない状態においては、張出板状部材１３の前記傾斜面１３ａが、壁板材４Ｂの傾斜面に沿う状態で、且つ、張出板状部材１３の内面と、前記壁板材４Ｂの内面、及び、前記両側壁部５ｂ・６ｂの内面とが面一の状態となっている。
また、両建築部Ｂ１・Ｂ２が相対的に揺れて、両者が近接すると、図６（ロ）に示すように、前記張出板状部材１３が、壁板材４Ｂと側壁部５ｂとの間に進入し、前記傾斜面１３ａで、壁板材４Ｂの先端部を通路内側へ誘導する。そして、壁板材４Ｂは、通路内側へ揺動し、両者間に突っ張り力が作用するのを防止しながら、相互の揺れに対応することができる。また、前記壁板材４Ｂと前記床板材４Ａとは、通路の通行方向に位置ずれさせて設けてあり、互いの揺動軌跡が重ならないように構成してあるから、両者が干渉せずに揺動できるものである。
一方、両建築部Ｂ１・Ｂ２が相対的に揺れて、両者が離間すると、図７（ロ）に示すように、前記張出板状部材１３は、前記座繰り部１１の面に沿ってスライドし、両者間に引っ張り力が作用するのを防止しながら、相互の揺れに対応することができる。
また、両建築部Ｂ１・Ｂ２の相対的な揺れが、上下の場合には、前記張出板状部材１３の下端部が、前記床板材４Ａ又は第一屋内通路部５のスラブ部５ａに当接する事が考えられるが、図５に示すように、前記張出板状部材１３の下端部は、所定高さにわたって、巾木部分１３ｂを形成してあり、他の部分よりも低強度に構成してある。従って、床板材４Ａや前記スラブ部５ａに、張出板状部材１３が当接しても、この巾木部分が容易に、変形（又は破壊）し、両者間の力の伝達を最小限にとどめることが可能となる。更には、前記巾木部分１３ｂは、張出板状部材本体に対して着脱自在に形成してあるから、仮に、前記巾木部分が変形したとしても、前記巾木部分１３ｂのみを取り替えて修復することが、比較的容易に実施できる。
因みに、前記床板材４Ａ・壁板材４Ｂ・天井板材４Ｃは、それぞれ、金属薄板をパネル状に加工して形成してあり、前記巾木部分１３ｂは、それらの金属薄板より厚みの薄い金属薄板を使用してある。
【００２４】
前記天井板材４Ｃは、図４に示すように、基端部を前記ヒンジ部７を介して第二屋内通路部６の天井部６ｃに取り付けられ、先端側部分は、前記第一屋内通路部５の天井部５ｃ上に載置状態に配置される。そして、天井板材４Ｃの揺動先端側下面には、図に示すように、下向きの傾斜面に形成してあると共に、それに対応する前記天井部５ｃには、上向きの傾斜面１４が形成してある。また、前記天井板材４Ｃの傾斜面の先端側には、前記天井部６ｃ上面に当接自在な張出部１５を設けてある。
従って、両建築部Ｂ１・Ｂ２が相対的に揺れていない状態においては、天井板材４Ｃの張出部１５が、前記天井部５ｃの上面に載置された状態となり、天井板材４Ｃの下面と、両天井部５ｃ・６ｃの下面が面一の状態となっている。
また、両建築部Ｂ１・Ｂ２の相対的な揺れに関しては、前記床板材４Ａの場合と、ほぼ同様に、両者間に突っ張り力が作用するのを防止しながら、相互の揺れに対応することができる（図６（イ）・図７（イ）参照）。
尚、天井板材４Ｃは、図に示すように、標準の取付状態から下方への揺動を阻止するために、脱落防止用の金属線Ｌで、上方から吊り止めてある。
【００２５】
一方、両建築部Ｂ１・Ｂ２においても、前記床板材４Ａ・天井板材４Ｃの左右両端部が、両建築部どうしの相対移動時に、両屋内通路の側壁部５ｂ・６ｂに直に当接して変形したり破壊するのを防止しやすいように、図５・８に示すように、前記床板材４Ａの左右両端部を受け入れ自在な下懐部１６ａと、前記天井板材４Ｃの左右両端部を受け入れ自在な上懐部１６ｂとを設けてある。
具体的には、これらの懐部１６は、躯体の一部を凹状に切り込んで構成してある。
また、前記床板材４Ａの下方空間には、防水パンＰを設けてあり、その防水パンＰと床板材４Ａとの間には、ロックウールＷを充填してある（図２参照）。
【００２６】
〔別実施形態〕
以下に他の実施の形態を説明する。
【００２７】
〈１〉  前記壁板材と張出板状部材との組み合わせで、通路本体の壁部分を構成する構成に替えて、例えば、床板材と張出板状部材とを組み合わせて通路本体の床部分を構成して、壁板材の揺動軌跡と、前記床板材の揺動軌跡が重ならないように構成することであってもよい。また、天井部に、前記張出板状部材との組み合わせの構成を採用することであってもよい。
また、通路本体の周方向に隣接する周部形成板状部材どうしの揺動軌跡が重ならない構成は、先の実施形態で説明したように、壁板材と床板材とを、通路の通行方向に位置ずれさせて設けるものに限るものではなく、例えば、通路本体の周方向に隣接する周部形成板状部材どうし（上の実施形態によれば、天井板材と壁板材、又は、壁板材と床板材）の揺動可能域を、一方の周部形成板状部材については、通路本体の径方向に沿った外側に設定するものであってもよい。
〈２〉  前記懐部は、先の実施形態で説明したように、床板材の先端側の第一屋内通路部の側壁部の上下端部に形成してあるものに限るものではなく、例えば、前記床板材のヒンジ部７を枢支軸芯方向に沿ってスライド自在な構成にして、第二屋内通路部の隅部分に、前記ヒンジ部７の軸芯に沿ってスライド自在な床板材の側部を受け入れ可能に懐部として形成しておくことであってもよい。
〈３〉  前記オートヒンジに替えて、一般的なヒンジを採用することも可能である。
〈４〉  前記伸縮継手は、先の実施形態で説明した伸縮通路に採用されるものに限らず、例えば、隙間をあけて隣接する一対の建築部にわたる部屋や区画に用いることも可能であり、それらを含めて伸縮継手と総称する。
【図面の簡単な説明】
【図１】伸縮継手を示す一部切欠斜視図
【図２】伸縮継手の床部を示す側面視断面図
【図３】伸縮継手の壁部を示す上面視断面図
【図４】伸縮継手の天井部を示す側面視断面図
【図５】伸縮継手の通路方向視断面図
【図６】伸縮継手の作用を示す要部断面図
【図７】伸縮継手の作用を示す要部断面図
【図８】伸縮継手の横揺れ状態の作用を示す要部断面図
【図９】従来の伸縮継手を示す一部切欠斜視図
【図１０】従来の伸縮継手を示す通路方向視斜視図
【符号の説明】
１      隙間
３      通路本体
４Ａ 床板材
４Ｂ 壁板材
４Ｃ 天井板材
１３    張出板状部材
１６    懐部
Ｂ１    第一建築部
Ｂ２    第二建築部
【図１】
0003630530.tif 000002
【図２】
0003630530.tif 000003
【図３】
0003630530.tif 000004
【図４】
0003630530.tif 000005
【図５】
0003630530.tif 000006
【図６】
0003630530.tif 000007
【図７】
0003630530.tif 000008
【図８】
0003630530.tif 000009
【図９】
0003630530.tif 000010
【図１０】
0003630530.tif 000011